(57)【要約】【課題】  本体への張力の部分集中を防ぎ、耐久性の向上と、軽量化、小容積化、設営の簡便さを実現したタープなどの張設シートを提供すること。【解決手段】  本体周縁に独立した張り綱を通して張力を与え、本体周縁端部の大部分を張り綱と連結し、また互いを強固に連結しないで柔軟に本体を連結することによって、本体への張力集中を防いて必要な耐張力性などを軽減し、結果として軽量化、小容積化、設営の簡便さを実現したことを特徴とする。【選択図】図１
2013221391.tif 000002
【特許請求の範囲】
【請求項１】
主に織布、不織布、フィルム状シートのうち一つ以上で構成された本体の周縁に張り綱を通して、当該張り綱に張力を与えて設営するタープなどの張設用シート。
【請求項２】
請求項１の構造において、本体の周縁に形成した筒状袋、環状帯、鈎型フックのいずれか一つ、あるいは二つ以上を用いて張り綱に本体を柔軟に連結したことを特徴とするタープなどの張設用シート。
【請求項３】
請求項２の構造において、本体の周縁に沿った張り綱と本体から離れた張り綱とのなす角度が１８０度未満であることを特徴とするタープなどの張設用シート。
【発明の詳細な説明】
【技術分野】
【０００１】  本発明は、張力を効果的に分散する構造にて本体を支持した、直射日光や雨をさえぎるタープなどの張設用シートに関するものである。
【背景技術】
【０００２】  野外でのレクリエーション活動が盛んになるにつれ、野外で日光や雨を遮る布などを頭上に巡らせたタープなど張設用シートを使う行為が一般化している。その際、持ち運びに便利なように収納容積が小さく軽量なタープが望ましい。一般的なタープは２本の固定柱を立て、その固定柱の上端に本体を連結して拡張することで屋根とする。柔軟である本体を拡張して面状にするためには、従来、本体に連結された固定柱の上端を張り綱等で対角外側へ引っ張り、同時にその他の本体端部に張り綱を接続し、その張り綱の他端を、あるいは本体の端部自体を地面などに固定することによって張力を与え、本体を拡張していた。この場合、本体と固定柱の接続部、および本体と張り綱の接続部、およびその周辺に張力が集中し、この部分の本体の耐久性に課題があった。本発明は、本体を拡張するための張力の大部分を本体の周縁に巡らせた張り綱に受け持たせ、本体の周縁の大部分を張り綱に柔軟に連結することによって、本体の部分に張力が集中することを予防して耐久性を大幅に高めた構造を提供するものである。
【発明の概要】
【０００３】  解決しようとする課題は、タープなど張設シートを設営するにあたり、主に織布、不織布、フィルム状シートのうち一つ以上で構成された本体と固定柱、および本体と張り綱の接続部、およびその周辺にかかる張力を分散することである。そのため連続したループ状の張り綱を用意し、本体の周縁端部を筒袋状にしてその筒袋の中に張り綱を通して拡張する。本体は張り綱と本体周縁全体または大部分を用いて連結されていることから、特定の部分に集中して強い張力はかからない。また、本体と張り綱は柔構造にて連結されているため一部に強い張力がかかったとしても、使用状態では自然とその張力は平準化するように本体が移動変形する。いわば自己張力分散構造であり、耐久性に優れる。なお、本発明の趣旨を実現するためには、本体の周縁端部がすべて筒袋状である必要はなく、適当な複数の部分に鈎形のフックや、環状ベルトを付帯することもできる。
【課題を解決するための手段】
【０００４】  図１に本発明の主要構造の一つを簡単に示した。本体１の周縁端部の筒袋５に、一本状の張り綱２を通し、相対する張り綱２をペグ４によって地面などに固定する。本体１を高く保持するためには、２本の固定柱３を立ててその上端へ本体１を接続する。同時にこの２本の固定柱３の上端を固定綱６で引っ張りペグ４などで地面などに固定する。これにより六角形のタープを４本のペグで設営できる。
【発明の効果】
【０００５】  従来の構造では張り綱の先端が直接本体に取り付けられていたために、その取付部にすべての張力が集中している。その取付部は本体のごく一部分であるからこの部分への張力の集中は強大である。したがって、その強大な張力に耐えるために本体には一定以上の厚さや別の布やテープなどを裏打ちする等の補強構造が要求され、結果として厚く、重量もかさむこととなっていた。またそれら対策を実現するために製造コストが嵩むことになっていた。【０００６】  本発明は本体を拡張する張力の大部分は張り綱２と固定綱６で受け持っているので本体には残りのわずかな張力しかかからない。したがって、本体を薄くでき、結果として折りたたみ時に容積が小さくかつ軽いタープなどの張設シートを構成できる。また、予め張り綱の長さを決定しておくことで、地面にペグを打つ場所を予測して設営することが可能になり素早い設営が可能である。また、ペグ位置の距離を固定柱の長さの倍数にすることで固定柱を使ってペグ位置を測ることが可能となる。
【図面の簡単な説明】
【０００７】
【図１】本発明の主要な実施例の説明図である。（実施例１）
【図２】本発明の実施例１の一部分の説明図である。
【図３】本発明の機能を説明する概念図である。
【図４】本発明の他の実施例の説明図である。（実施例２）
【図５】本発明の他の実施例の説明図である。（実施例３）
【図６】本発明の他の実施例の説明図である。（実施例４）
【図７】本発明の実施例を示す概念図である。（実施例５）
【図８】本発明の他の実施例の説明図である。（実施例６）
【図９】本発明の他の実施例の説明図である。（実施例７）
【図１０】本発明の他の実施例の説明図である。（実施例８）
【発明を実施するための形態】
【実施例１】
【０００８】  図１は本発明の具体的な全体像の一つを示す構成図であって、本体１、張り綱２、固定柱３、固定綱６で構成される。本発明の特徴は、本体１の周縁の大部分が、張り綱２に連結されていることと、互いが強固に連結されておらず、本体１の周縁を張り綱２で柔軟に支えているところである。【０００９】  図２の（ａ）に表、（ｂ）に裏を示すごとく、固定柱３の先端に設けられた固定柱先端突起３１は、本体１に取り付けられた金属板あるいは厚い布などで構成した固定端子７上の差込穴８に差し込まれ、本体１の端部が固定柱３の上端へ連結される。よって本体１は固定柱３の高さにて支持される。また筒袋５より出た張り綱２を固定端子７へ連結することで、設営時に張り綱２へ張力を与えることができる。【００１０】  本発明の副次的な効果として一人でも容易に張設シートを設営できる点が上げられる。すなわち、図３に示すように、張り綱固定点８１の２点と、固定綱固定点８２、固定柱３と本体１の連結点８３が三角錐を形成し、固定柱３が剛体であるであることから連結点８３の高さが維持されるため、設営時に張り綱２と固定綱６の長さを固定すれば幾何学的安定が形成される。これにより固定柱３は本体１に張力を与える以前に自立させることが出来、続いて本体１の他端を引っ張ることによって、六角形の本体においても一人で容易に設営できる。張り綱固定点８１の２点間距離をＬとした場合、このＬを固定柱３の長さの倍数に設計すると、張り綱固定点８１の位置を固定柱３を使って測れば良いから、さらに容易に設営できる。
【実施例２】
【００１１】  実施例１では本体１の周縁はすべて袋状の筒、筒袋５で構成したが、本発明の主要な効果として本体１の一部に張力が集中しないことから、図４に示すように本体１の周縁の要所毎に環状ベルト９を設ければ、ここに張り綱２を通せばよい。またその環状ベルト９の輻を広くすれば、筒袋５を別部品として取り付けたことになり、実施例１の派生した実施形態と言える。
【実施例３】
【００１２】  また、本発明の他の実施例として、実施例２と同様の趣旨で、図５に示すような鈎状フック１０を設けて、これにより本体１を張設することもできる。フックであるから着脱は容易であり、本体の交換は容易にできる。たとえば色違いや迷彩色の布にして環境へ溶け込ませたり、あるいは天候の変化に応じて布の厚さや種類をかえて耐候性を増すこともできる。また、一部分だけ外してそこに太陽光を導くこともできるので、多様性が高まる。またすでに張られている本体の上に重ねて二枚以上の布あるいはフィルム状シートを張ることもでき、大幅に有用性を高めることもできる。
【実施例４】
【００１３】  実施例３の場合に加えて、図６に示すように、２本の固定柱３の上端の間隔を間隔固定綱１１などで固定すれば、本体１を用いずに、固定柱３、張り綱２、固定綱６、間隔固定綱１１などの骨組みのみで設営できる。鈎状フック１０を用いれば、本体１の着脱はきわめて容易であるので、目的に応じて本体１を交換することが容易となる。また間隔固定綱１１によって本体１の自重が分散支持されるため、より強度に優れた設営状態を形成することができる。
【実施例５】
【００１４】  以上本発明の実施例の説明には本体１と張り綱２の位置関係は特に規定しなかった。実際に張り綱２が固定端子７から地面に固定したペグ４までが一直線であると、本体１が張り綱２の間において上方へずれやすい状態となる。何らかの下方への張力がある方が望ましい。
その方策の一つを実施例として次に示す。【００１５】  図７に示すように、固定端子７から本体下端５１までの直線と、この本体下端５１から地面に固定するペグ４の部分の直線のなす角度をＡとし、本体下端５１間の距離をＢとする。Ａが１８０度未満である場合、張り綱２は張力によって直線に戻ろうとして、Ｂを伸ばそうとする力が発生する。Ｂは本体１の形状によって固定されているため、本体１をペグ４の方向へ引っ張る力が発生することになる。Ａはおおよそ１８０度未満１６０度以上が実用的であることがわかった。
【実施例６】
【００１６】  それでもなお、強風の時には本体が持ち上がることがあるので、その場合には図８に示すように本体１の端部に張り綱２と固定摩擦力を発揮する、ゴムなどで作られた引っ張り端子１２を設け、これに張り綱２を通して下方に引っ張れば良い。これは緊急の強風時への対策であるから、通常は用いる必要はなく、本発明の趣旨、すなわち本体と張り綱を強固に連結しないという趣旨には反しない。
【実施例７】
【００１７】  ここまでの本発明の実施例の説明では、本体１は六角形で説明したが、本発明は図９に示すように、５角形以上の多角形体にすべて適用可能である。
【実施例８】
【００１８】  ここまでの本発明の実施例の説明では、張り綱２の形状は規定しなかったが、図１０に示すように、（１）２本の綱で構成、（２）１本の環状綱、（３）張り綱と固定綱を一体化、などの構成が可能であり、いずれの形状も本発明の趣旨を実現できる。【００１９】  また、ここまでの本発明の実施例の説明では、本体の周縁端部はすべて直線で説明したが、周縁端部の形状が、円弧状など直線でない場合も同様に本発明を実施できる。【００２０】  また、ここまでの本発明の実施例の説明では、本体を主に織布、不織布、フィルム状シートのうち一つ以上で構成されると説明したが、柔軟な面状体であれば、網などの多孔体でも本発明を実施することが出来る。【００２１】  また、ここまで張力を与える部材を張り綱として説明したが、同様の柔軟性と一本状の構造を提供できる部材、例えばテープや鎖などを用いても本発明を実施できる。【００２２】  以上本発明を簡易的な張設シートとして説明したが、応用的な使い方として固定柱３を用いず、自然の立木あるいは人工物などを利用して本体１を張り渡す、あるいは間隔固定綱１１を張り渡すことで設営が可能となり、本発明の趣旨を同様に実現できる。すなわち本発明はこのような副次的な使用方法をも包含している。
【産業上の利用可能性】
【００２３】  以上、本発明を簡易的な屋根となる張設シートとしての用途を用途をあげたが、さらに重厚なテントなどに応用も可能である。
【符号の説明】
【００２４】１  本体
２  張り綱
３  固定柱
４  ペグ
５  筒袋
６  固定綱
７  固定端子
８  差込穴
９  環状ベルト
１０  鈎状フック
１１  間隔固定綱
１２  引っ張り端子
１４  絞り環
３１  固定柱先端突起
５１  本体下端
８１  張り綱固定点
８２  固定綱固定点
８３  連結点
【図１】
2013221391.tif 000003
【図２】
2013221391.tif 000004
【図３】
2013221391.tif 000005
【図４】
2013221391.tif 000006
【図５】
2013221391.tif 000007
【図６】
2013221391.tif 000008
【図７】
2013221391.tif 000009
【図８】
2013221391.tif 000010
【図９】
2013221391.tif 000011
【図１０】
2013221391.tif 000012